【手続補正書】
【提出日】平成17年6月30日(2005.6.30)
【手続補正１】
【補正対象書類名】明細書
【補正対象項目名】発明の名称
【補正方法】変更
【補正の内容】
【発明の名称】機器制御システム、及び車載用機器
【手続補正２】
【補正対象書類名】明細書
【補正対象項目名】特許請求の範囲
【補正方法】変更
【補正の内容】
【特許請求の範囲】
【請求項１】
音声及び手動による操作手段を備えた機器制御システムにおいて、
音声又は手動のいずれかのみによって、機器の制御を行なうようにするための制御手段を備えていることを特徴とする機器制御システム。
【請求項２】
音声及び手動による操作手段を備え、該操作手段から選択された操作命令項目に基づいて機器の制御を行なう機器制御システムにおいて、
音声操作による操作命令項目が手動操作による操作命令項目よりもより最終的な操作命令項目で構成され、手動操作による階層数よりも音声操作による階層数が少ないものとなっていることを特徴とする機器制御システム。
【請求項３】
音声及び手動による操作手段を備え、該操作手段から選択された操作命令項目に基づいて機器の制御を行なう機器制御システムにおいて、
音声又は手動のいずれによっても機器の制御を行なうことができるように、音声操作による操作命令項目と手動操作による操作命令項目とが共通化されていることを特徴とする機器制御システム。
【請求項４】
音声及び手動による操作手段を備え、該操作手段から選択された操作命令項目に基づいて機器の制御を行なう機器制御システムにおいて、
音声操作による操作命令項目と手動操作による操作命令項目とを組み合わせて用いるように構成されていることを特徴とする機器制御システム。
【請求項５】
入力音声の大きさに応じて制御量を差別化するように構成されていることを特徴とする請求項１〜４のいずれかの項に記載の機器制御システム。
【請求項６】
終了命令項目が発声されるまで、継続中の作動を終了させないように構成されていることを特徴とする請求項１〜５のいずれかの項に記載の機器制御システム。
【請求項７】
同音語が連続的に入力されると、その連続数をカウントし、カウント値に応じて制御量を決定するように構成されていることを特徴とする請求項１〜６のいずれかの項に記載の機器制御システム。
【請求項８】
リモコンを用いて音声を入力し、その音声情報を機器本体側へ伝達する場合に、ＦＭ等の電波を用いて行なうように構成されていることを特徴とする請求項１〜７のいずれかの項に記載の機器制御システム。
【請求項９】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
操作命令項目が階層化され、
前記手動操作手段による手動操作の場合は、上位の階層を経由することによって、その下位の階層にある操作命令項目を選択するように構成されると共に、
前記音声操作手段による音声操作の場合は、前記手動操作手段による手動操作の場合に必要とされる上位の階層を経由せずに、下位の階層にある操作命令項目をダイレクトに選択するように構成されていることを特徴とする機器制御システム。
【請求項１０】
操作命令項目に放送局名が含まれており、
前記手動操作手段による手動操作の場合は、上位の階層を経由することによって、その下位の階層にある放送局名を選択するように構成されると共に、
前記音声操作手段による音声操作の場合は、前記手動操作手段による手動操作の場合に必要とされる上位の階層を経由せずに、下位の階層にある放送局をダイレクトに選択するように構成されていることを特徴とする請求項９記載の機器制御システム。
【請求項１１】
前記音声操作手段による音声操作で、前記手動操作手段による手動操作で必要とされる上位の階層を経由せずに、その下位の階層にある操作命令項目がダイレクトに選択された場合、
前記下位の階層での選択と、前記その上位の階層での選択とが行われたことになるように構成されていることを特徴とする請求項９記載の機器制御システム。
【請求項１２】
操作命令項目に放送種別が含まれ、
その下位の階層にある操作命令項目に放送局名が含まれており、
前記音声操作手段による音声操作で、前記手動操作手段による手動操作で必要とされる上位の階層を経由せずに、その下位の階層にある放送局名がダイレクトに選択された場合、
放送種別の選択と、放送局の選択とが行われたことになるように構成されていることを特徴とする請求項１１記載の機器制御システム。
【請求項１３】
前記音声操作手段による音声操作で、前記手動操作手段による手動操作で必要とされる上位の階層を経由せずに、その下位の階層にある操作命令項目がダイレクトに選択された場合、
前記下位の階層での選択に応じた機器制御と、前記その上位の階層での選択に応じた機器制御が行われるように構成されていることを特徴とする請求項９記載の機器制御システム。
【請求項１４】
操作命令項目に放送種別が含まれ、
その下位の階層にある操作命令項目に放送局名が含まれており、
前記音声操作手段による音声操作で、前記手動操作手段による手動操作で必要とされる上位の階層を経由せずに、その下位の階層にある放送局名がダイレクトに選択された場合、
放送種別選択に応じた機器制御と、放送局選択に応じた機器制御とが行われるように構成されていることを特徴とする請求項１３記載の機器制御システム。
【請求項１５】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
ある操作状態からある操作命令項目を選択するのに要する操作ステップ数が、前記手動操作手段による手動操作の場合よりも、前記音声操作手段による音声操作の場合の方が少ないことを特徴とする機器制御システム。
【請求項１６】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
前記手動操作手段による手動操作の場合は、所望の放送受信モードへのモード切替後、放送局を選択し得る状態になり、
前記音声操作手段による音声操作の場合は、モードの状態に関係なく、放送局名の発声で、ダイレクトに放送局を選択するように構成されていることを特徴とする機器制御システム。
【請求項１７】
請求項１〜１６のいずれかの項に記載の機器制御システムが装備されていることを特徴とする車載用機器。
【手続補正３】
【補正対象書類名】明細書
【補正対象項目名】０００１
【補正方法】変更
【補正の内容】
【０００１】
【発明の属する技術分野】
本発明は機器制御システム、及び車載用機器に関し、より詳細には、音声及び
手動による複数の操作手段を備えた機器制御システムに関し、特に車載用機器に
おいて複数の操作手段（本体に取り付けられた手動式スイッチ、リモコンを用い
た手動式スイッチ、及び音声認識装置等）を用いる場合に関し、また前記機器制
御システムを採用した車載用機器に関する。
【手続補正４】
【補正対象書類名】明細書
【補正対象項目名】０００６
【補正方法】変更
【補正の内容】
【０００６】
本発明は上記課題に鑑みなされたものであって、音声及び手動による操作手段
を装備していたとしても、操作時における使用者の混乱を避けることができ、か
つ使い勝手の良い機器制御システム、及び車載用機器を提供することを目的とし
ている。
【手続補正５】
【補正対象書類名】明細書
【補正対象項目名】０００７
【補正方法】変更
【補正の内容】
【０００７】
【課題を解決するための手段及びその効果】
上記目的を達成するために本発明に係る機器制御システム（１）は、音声及び
手動による操作手段を備えた機器制御システムにおいて、音声又は手動のいずれ
かのみによって、機器の制御を行なうようにするための制御手段を備えているこ
とを特徴としている。
【手続補正６】
【補正対象書類名】明細書
【補正対象項目名】００２５
【補正方法】変更
【補正の内容】
【００２５】
上記機器制御システム（８）によれば、ＦＭ等の電波を用いることによって、
空間に障害物等があったとしても、精度良く音声情報を機器本体側へ伝達させる
ことができる。
また、本発明に係る機器制御システム（９）は、音声で操作可能な音声操作手
段、及び手動で操作可能な手動操作手段を備え、前記音声操作手段、又は前記手
動操作手段により選択された操作命令項目に基づいて機器の制御を行う機器制御
システムにおいて、操作命令項目が階層化され、前記手動操作手段による手動操
作の場合は、上位の階層を経由することによって、その下位の階層にある操作命
令項目を選択するように構成されると共に、前記音声操作手段による音声操作の
場合は、前記手動操作手段による手動操作の場合に必要とされる上位の階層を経
由せずに、下位の階層にある操作命令項目をダイレクトに選択するように構成さ
れていることを特徴としている。
また、本発明に係る機器制御システム（１０）は、上記機器制御システム（９
）において、操作命令項目に放送局名が含まれており、前記手動操作手段による
手動操作の場合は、上位の階層を経由することによって、その下位の階層にある
放送局名を選択するように構成されると共に、前記音声操作手段による音声操作
の場合は、前記手動操作手段による手動操作の場合に必要とされる上位の階層を
経由せずに、下位の階層にある放送局をダイレクトに選択するように構成されて
いることを特徴としている。
また、本発明に係る機器制御システム（１１）は、上記機器制御システム（９
）において、前記音声操作手段による音声操作で、前記手動操作手段による手動
操作で必要とされる上位の階層を経由せずに、その下位の階層にある操作命令項
目がダイレクトに選択された場合、前記下位の階層での選択と、前記その上位の
階層での選択とが行われたことになるように構成されていることを特徴としてい
る。
また、本発明に係る機器制御システム（１２）は、上記機器制御システム（１
１）において、操作命令項目に放送種別（例えば、ＦＭ、ＡＭ）が含まれ、その
下位の階層にある操作命令項目に放送局名が含まれており、前記音声操作手段に
よる音声操作で、前記手動操作手段による手動操作で必要とされる上位の階層を
経由せずに、その下位の階層にある放送局名がダイレクトに選択された場合、放
送種別の選択と、放送局の選択とが行われたことになるように構成されているこ
とを特徴としている。
また、本発明に係る機器制御システム（１３）は、上記機器制御システム（９
）において、前記音声操作手段による音声操作で、前記手動操作手段による手動
操作で必要とされる上位の階層を経由せずに、その下位の階層にある操作命令項
目がダイレクトに選択された場合、前記下位の階層での選択に応じた機器制御と
、前記その上位の階層での選択に応じた機器制御が行われるように構成されてい
ることを特徴としている。
また、本発明に係る機器制御システム（１４）は、上記機器制御システム（１
３）において、操作命令項目に放送種別（例えば、ＦＭ、ＡＭ）が含まれ、その
下位の階層にある操作命令項目に放送局名が含まれており、前記音声操作手段に
よる音声操作で、前記手動操作手段による手動操作で必要とされる上位の階層を
経由せずに、その下位の階層にある放送局名がダイレクトに選択された場合、放
送種別選択に応じた機器制御と、放送局選択に応じた機器制御とが行われるよう
に構成されていることを特徴としている。
上記機器制御システム（９）〜（１４）によれば、操作命令項目が階層化され
、前記手動操作手段による手動操作の場合は、上位の階層を経由することによっ
て、その下位の階層にある操作命令項目を選択するように構成されているので、
例えば、ＣＤを聴いていた時に、手動操作でＦＭラジオの「ＦＭ大阪」に切り替
える場合、ボタン［ＦＭ］を押し、そして周波数「85.1MHz 」（ＦＭ大阪）がメ
モリされているボタンを押すことによって、「ＦＭ大阪」のラジオ受信に切り替
えることができる。
また、上記機器制御システム（９）〜（１４）によれば、前記音声操作手段に
よる音声操作の場合は、前記手動操作手段による手動操作の場合に必要とされる
上位の階層を経由せずに、下位の階層にある操作命令項目をダイレクトに選択す
るように構成されているので、例えば、ＣＤを聴いていた時に、音声操作でＦＭ
ラジオの「ＦＭ大阪」に切り替える場合、『エフエムオーサカ』と発声するだけ
で、ダイレクトに「ＦＭ大阪」のラジオ受信に切り替えることができる。
また、本発明に係る機器制御システム（１５）は、音声で操作可能な音声操作
手段、及び手動で操作可能な手動操作手段を備え、前記音声操作手段、又は前記
手動操作手段により選択された操作命令項目に基づいて機器の制御を行う機器制
御システムにおいて、ある操作状態からある操作命令項目を選択するのに要する
操作ステップ数が、前記手動操作手段による手動操作の場合よりも、前記音声操
作手段による音声操作の場合の方が少ないことを特徴としている。
上記機器制御システム（１５）によれば、ある操作状態からある操作命令項目
を選択するのに要する操作ステップ数が、前記手動操作手段による手動操作の場
合よりも、前記音声操作手段による音声操作の場合の方が少ない。例えば、ＣＤ
を聴いていた時に、音声操作でＦＭラジオの「ＦＭ大阪」に切り替える場合、『
エフエムオーサカ』と発声するだけで、ダイレクトに「ＦＭ大阪」のラジオ受信
に切り替えることができる。
また、本発明に係る機器制御システム（１６）は、音声で操作可能な音声操作
手段、及び手動で操作可能な手動操作手段を備え、前記音声操作手段、又は前記
手動操作手段により選択された操作命令項目に基づいて機器の制御を行う機器制
御システムにおいて、前記手動操作手段による手動操作の場合は、所望の放送受
信モードへのモード切替後、放送局を選択し得る状態になり、前記音声操作手段
による音声操作の場合は、モードの状態に関係なく、放送局名の発声で、ダイレ
クトに放送局を選択するように構成されていることを特徴としている。
上記機器制御システム（１６）によれば、前記手動操作手段による手動操作の
場合は、所望の放送受信モードへのモード切替後、放送局を選択し得る状態にな
る。例えば、ボタン［ＦＭ］を押すことによって、モードがＦＭラジオモードへ
切り替わり、その後、「ＦＭ大阪」など放送局を選択し得る状態になる。
また、上記機器制御システム（１６）によれば、前記音声操作手段による音声
操作の場合は、モードの状態に関係なく、放送局名の発声で、ダイレクトに放送
局を選択するように構成されている。例えば、ＦＭラジオモードに切り替わって
いなくても、『エフエムオーサカ』と放送局名を発声するだけで、ダイレクトに
「ＦＭ大阪」のラジオ受信に切り替えることができる。
また、本発明に係る車載用機器（１７）は、上記機器制御システム（１）〜（
１６）のいずれかが装備されていることを特徴としている。
上記車載用機器（１７）によれば、使い勝手の良い機器となり、操作時の視線
移動を抑えることができるので、走行の安全性を高めることができる。
【手続補正７】
【補正対象書類名】明細書
【補正対象項目名】００２６
【補正方法】変更
【補正の内容】
【００２６】
【発明の実施の形態】
以下、本発明に係る機器制御システム、及び車載用機器の実施の形態を図面に
基づいて説明する。
図１は、実施の形態に係る機器制御システム（１）の要部を概略的に示したブ
ロック図である。ここでは、図９に示した機器制御システムと同様の構成につい
ては、その説明を省略する。